(57)【特許請求の範囲】
【請求項１】
基台と、該基台の幅方向略中央部に立設された立上部とからなる断面逆Ｔ字形状を有し、外形略正五角形状を呈する基礎コンクリート枠と、該基礎コンクリート枠の内周側および外周側に、夫々互いに密接して配置された複数の平面二等辺三角形の内床材および外床材と、を備え、前記内床材が２０枚配置され、前記外床材が２５枚配置されて外形正五角形状となることを特徴とする簡易型建築物の基礎。
【請求項２】
前記内床材および外床材が、メッシュ状の金属板が埋設されたコンクリート素材からなる請求項１記載の簡易型建築物の基礎。
【請求項３】
隣接する前記外床材間の外周接続部が、連結金具にて固定されている請求項１または２記載の簡易型建築物の基礎。
【請求項４】
請求項１記載の建築物の基礎を用いた建築物の施工法であって、前記基礎コンクリート枠を打設する工程と、該基礎コンクリート枠の内周側および外周側に夫々、２０枚の前記内床材および２５枚の前記外床材を配置する工程と、前記立上部の上部に壁面を立設する工程と、該壁面上に屋根部材を設置する工程と、を含むことを特徴とする簡易型建築物の施工法。
【発明の詳細な説明】
【０００１】
【発明の属する技術分野】
本発明は、少人数で短時間に施工でき、外観面における斬新性や基礎の強度を向上させることができる建築物の基礎（以下、単に「基礎」とも称する）およびこれを用いた建築物の施工法（以下、単に「施工法」とも称する）に関する。
【０００２】
【従来の技術】
床面積１０ｍ2以下の建築物は、建築基準の適用がなく、狭いスペースを有効活用できることから、軽食を提供する屋台、手芸品や生花を扱う店舗等に幅広く利用されている。このような小型建築物については、その施工についても簡易かつ短期間に行うことができることが望ましいが、通常かかる小型建築物は、逆Ｔ字状の基礎コンクリート基部を地中に埋設することで全体として平面矩形状となるよう基礎コンクリートを設け、この上に柱や壁材を立設して、さらに壁材上に屋根部材を設置することにより構築されるのが一般的である。
【０００３】
また、施工の容易な建築物としては、近年、まず地面に直接コンクリートブロック等を敷設して基礎を形成し、この基礎上に床材を載設することで多角形状の床面を形成し、次いで、この床面上に壁材および屋根部材を設置して、夫々を連結部材にて固定することにより構築することのできる平面多角形状の簡易型建築物も開発されている。
【０００４】
【発明が解決しようとする課題】
しかしながら、従来の小型建築物は、平面長方形や正方形等の平面矩形状に形成されていたので、外観面での斬新性が得られなかった。また、これら小型建築物を屋台や店舗として使用する場合、建築物の正面に位置する壁面は必然的に一面のみとなるので、商品をアピールするための広告面積が限定されるという難点があった。
【０００５】
また、平面多角形状の簡易型建築物においては、基礎コンクリートが地中に打設されていないことから、建築物の安定性が得られないばかりでなく、長期使用時における安全面での問題も有していた。
【０００６】
そこで本発明の目的は、上記問題を解消して、少人数で短時間に施工できるとともに、外観面における斬新性を有し、さらに、安定性にも優れた建築物の基礎およびこれを用いた建築物の施工法を提供することにある。
【０００７】
【課題を解決するための手段】
上記課題を解決するために、本発明の建築物の基礎は、基台と、該基台の幅方向略中央部に立設された立上部とからなる断面逆Ｔ字形状を有し、外形略正五角形状を呈する基礎コンクリート枠と、該基礎コンクリート枠の内周側および外周側に、夫々互いに密接して配置された複数の内床材および外床材と、を備えることを特徴とするものである。
【０００８】
本発明においては、前記内床材および外床材が、メッシュ状の金属板が埋設されたコンクリート素材からなることが好ましく、隣接する前記外床材間の外周接続部が、連結金具にて固定されていることが好ましい。
【０００９】
また、前記内床材が平面二等辺三角形状であることが好ましく、前記外床材が、外形正五角形状となるよう配置されていることが好ましい。
【００１０】
さらに、好適には、前記内床材を２０枚配置し、また、前記外床材を２５枚配置する。
【００１１】
これにより、外形略正五角形状を呈する基礎コンクリート枠の、内周側に複数の内床材が配置され、外周側に、特には外形正五角形形状となるよう、外床材が配置されていることで、外観的に斬新性を有する平面正五角形状の建築物の構築を可能にする建築物の基礎が得られる。従って、かかる基礎上に壁面と屋根部材とを夫々設置することにより、平面正五角形状の建築物を構築することができる。
【００１２】
また、本発明の建築物の施工法は、上記本発明の建築物の基礎を用いた建築物の施工法であって、前記基礎コンクリート枠を打設する工程と、該基礎コンクリート枠の内周側および外周側に夫々、２０枚の前記内床材および２５枚の前記外床材を配置する工程と、前記立上部の上部に壁面を立設する工程と、該壁面上に屋根部材を設置する工程と、を含むことを特徴とするものである。これにより、外観面における斬新性を有し、かつ、安定性にも優れた建築物を、少人数で短時間に容易に施工することができる。
【００１３】
【発明の実施の形態】
以下、本発明の建築物の基礎およびこれを用いた建築物の施工法の実施の形態について、図面を参照しつつ詳細に説明する。
図１に、本発明の建築物の基礎の一好適例の全体斜視図を示す。図示する建築物の基礎１は、外形略正五角形状を呈する基礎コンクリート枠１０と、この基礎コンクリート枠１０の内周側に互いに密接して配置された複数の内床材２０と、外周側に互いに密接して配置された複数の外床材３０とを備える。
【００１４】
図３に示すように、基礎コンクリート枠１０は断面逆Ｔ字形であり、地中に埋設される基台１１と、この基台１１の幅方向略中央部に立設された立上部１２とで形成されている。図中の符号１３は、基礎コンクリート枠１０に突設された壁面設置用のアンカーボルトを示し、このアンカーボルト１３を用いて、基礎コンクリート枠１０の立上部１２の上部に壁面を立設することができる。
【００１５】
この基礎コンクリート枠１０は、図示するように、基礎体１４〜１６を夫々金具等の連結具１８にて連結した構造とすることにより、施工性の向上に寄与することができる。図４に、これら基礎体１４〜１６を夫々示す。図示するように、図３に示す基礎コンクリート枠１０は、直線状態に形成された長尺状の基礎体１４（図４（ａ））と、角部に配置される曲折状の基礎体１５（図４（ｂ））と、同じく角部に配置され、突辺１７が形成された曲折状の基礎体１６（図４（ｃ））とからなり、これらを連結具１８にて連結することにより図示するような外形略正五角形状に形成されている。ここで、基礎コンクリート枠１０の角部の一部を形成する基礎体１６に突辺１７を設けることにより、基礎コンクリート枠１０の突辺１７を含む一辺に長尺の壁面を立設することができ、壁面の安定性を向上することができる。
【００１６】
内床材２０は、基礎コンクリート枠１０の内周側に配置されるものであり、好適には、肉厚の平面二等辺三角形状とする。また、その材質にも特に制限はなく、通常基礎の材料として用いられているものを用いることができるが、好適には、図５に示すように、メッシュ状の金属板２１が埋設されたコンクリート素材を用いる。この場合、内床材２０は、例えば、底辺が１，１６０ｍｍの平面二等辺三角形状とし、一枚の重量を約４５ｋｇにて形成することができる。これにより、施工時には２人の作業員のみで内床材２０の運搬や設置を容易に行うことができるため、作業性を向上させることが可能となる。
【００１７】
図１等に示す例では、内床材２０は、基礎コンクリート枠１０の内周側に互いに密接した状態で２０枚配置されている。
【００１８】
また、外床材３０は、基礎コンクリート枠１０の外周側に、特には外形正五角形状となるように、互いに密接して配置される。外床材３０は、内床材２０と同様に内部にメッシュ状の金属板３８が埋設された肉厚のコンクリート素材で形成することが好ましく、図６（ａ）〜（ｄ）に示す４種類の床材３１、３２、３３、３５を用いることができる。図１等に示す外床材３０は、二等辺三角形状の床材３１（図６（ａ））と、二等辺三角形の一頂点が切欠された台形状の床材３２（図６（ｂ））と、欠切部３４を有する三角形状の床材３３（図６（ｃ））と、欠切部３６を有する三角形状の床材３５（図６（ｄ））とを、図２に示すように、組み合わせることにより構成される。
【００１９】
なお、隣接する外床材３０、即ち、図示する床材３１、３２、３３、３５の外周接続部は、ステンレス等からなる連結金具３７にて固定することが好ましく、これにより、基礎全体の形状を強固に保持することができる。
【００２０】
本発明の建築物の基礎においては、図７に示すように、基礎コンクリート枠１０の内周側および外周側の夫々に、地中に埋設された基台１１の上部に載るようにして内床材２０および外床材３０が載置されており、これにより、内床材２０および外床材３０が重しの役割を果たすことで、これらの自重により基礎コンクリート枠１０の安定性がより向上される。
【００２１】
次に、本発明の建築物の施工法につき説明する。
まず、図４に示す長尺状の基礎体１４、曲折状の基礎体１５および突辺１７が形成された基礎体１６を図３に示すように組み合わせて夫々打設し、各連結部を連結具１８にて連結して、外形略正五角形状の基礎コンクリート枠１０を形成する。
【００２２】
次に、基礎コンクリート枠１０の内周側に、２０枚の内床材２０を配置する。この場合、図示するように、基礎コンクリート枠１０内部の中心部分には５枚の内床材２０が配置され、基礎コンクリート枠１０の基台１１の上部には１５枚の内床材２０が載置される。また、夫々の床材２０の側面は、互いに密接した状態となる。
【００２３】
次に、基礎コンクリート枠１０の外周側の基台１１の上部に、外形正五角形状となるよう計２５枚の床材３１、３２、３３、３５を配置して（図１および図２参照）、夫々の外周接続部を連結金具３７にて固定し、全体の形状を保持させる。
【００２４】
次に、基礎コンクリート枠１０の立上部１２の上部に、アンカーボルト１３を介して５枚の壁面２を立設する。この場合、基礎体１６の突辺１７を含む一辺には、長尺の壁面２ａを立設する。
【００２５】
その後、図８に示すように、屋根部材３を、夫々の壁面２、２ａの上部にビス等を用いて固定することにより設置することで、平面正五角形状の建築物４を構築することができる。この場合、図８に示すように、屋根部材３の先端部分に換気筒５を設けてもよく、その他の窓や扉等の建築物自体デザインについてもこの例には制限されない。例えば、図９に示すような形状とすることもできる。本発明に係る建築物４においては、図８および図９に示すように、正面６の方向から見て三面の壁面２ａ、２、２ａが同時に視界に入るので、商品をアピールするための広告面積を広く利用することができる。なお、図示する建築物４は、例えば、軽食を提供する屋台、手芸品や生花を扱う店舗等に幅広く利用することができる。
【００２６】
【発明の効果】
以上説明してきたように、本発明の建築物の基礎および施工法は、上述の構成とすることで、以下に示す効果を奏するものである。
【００２７】
外形略正五角形状を呈する基礎コンクリート枠の内周側および外周側に夫々複数の内床材および外床材を配置して、基礎コンクリート枠上に壁面および屋根部材を設置したことにより、平面正五角形の建築物を構築することが可能で、かつ、少人数で短時間に施工できるとともに、外観面における斬新性を有し、さらに、安定性にも優れた建築物の基礎を構築することができる。
【００２８】
また、基礎コンクリート枠を打設した後、その内周側に２０枚の内床材を、外周側に２５枚の外床材を、夫々配置して、立上部の上部に壁面を立設し、かつ、その壁面上に屋根部材を設置する建築物の施工法により、少人数で短時間に施工することができるとともに、優れた安定性や外観面における斬新性を発揮することのできる建築物が得られる。
【図面の簡単な説明】
【図１】本発明の建築物の基礎を表す全体斜視図である。
【図２】図１の建築物の基礎を表す平面図である。
【図３】基礎コンクリート枠を打設した状態を表す全体斜視図である。
【図４】基礎コンクリート枠を構成する基礎体の形状を表す斜視図である。
【図５】内床材を表す一部切欠平面図である。
【図６】床材を表す一部切欠平面図である。
【図７】基礎コンクリート枠の内周側および外周側に夫々に内床材および外床材を配置した状態を表す断面図である。
【図８】本発明の建築物の基礎上に形成された建築物を表す斜視図である。
【図９】本発明の建築物の基礎上に形成された他の形状の建築物を表す斜視図である。
【符号の説明】
１  基礎
２、２ａ  壁面
３  屋根部材
４  建築物
５  換気筒
６  正面
１０  基礎コンクリート枠
１１  基台
１２  立上部
１３  アンカーボルト
１４、１５、１６  基礎体
１７  突辺
１８  連結具
２０  内床材
２１  金属板
３０  外床材
３１、３２、３３、３５  床材
３４、３６  欠切部
３７  連結金具
３８  金属板
【図１】
0003651794.tif 000002
【図２】
0003651794.tif 000003
【図３】
0003651794.tif 000004
【図４】
0003651794.tif 000005
【図５】
0003651794.tif 000006
【図６】
0003651794.tif 000007
【図７】
0003651794.tif 000008
【図８】
0003651794.tif 000009
【図９】
0003651794.tif 000010